(57)【要約】  【課題】  設計の自由度を大きく妨げることなく、かつ特別な部品の追加を必要とせずに、簡単な構成によって外観の向上に寄与することのできる携帯端末を提供する。  【解決手段】  ストラップを取り付けるための通し穴が形成された筐体を有する携帯端末において、前記通し穴の壁面にネジ穴が設けられ、該ネジ穴に対して締結されたネジの頭が前記通し穴内に位置している。  【選択図】  図２
2005217465.tif 000002
【特許請求の範囲】
【請求項１】
ストラップを取り付けるための通し穴が形成された筐体を有する携帯端末において、
前記通し穴の壁面にネジ穴が設けられ、該ネジ穴に対して締結されたネジの頭が前記通し穴内に位置していることを特徴とする携帯端末。
【発明の詳細な説明】
【技術分野】
【０００１】
本発明は、携帯端末に関するものである。
【背景技術】
【０００２】
従来、ストラップを携帯端末に取り付けるために、携帯端末の筐体にストラップを取り付けるための取り付け穴（通し穴）が形成されている。
【発明の開示】
【発明が解決しようとする課題】
【０００３】
図３は、第１の従来の携帯端末について説明するための全体構成図である。同図において、（ａ）は携帯端末を側面から見た図、（ｂ）は同携帯端末を（ａ）に示すＡ方向から見た図である。
【０００４】
一般に携帯端末は複数の筐体を構成するための部材（以下、筐体構成部材）を有しており、これらの複数の筐体構成部材同士を取り付け用ネジ等によって結合させて筐体を構成している。同図に示す構成の第１の従来の携帯端末Ｊ１は、例えば第１の筐体構成部材Ｍ１と第２の筐体構成部材Ｎ１とを有している。同図から分かるように、第２の筐体構成部材Ｎ１は取り付け用ネジＢによって第１の筐体構成部材Ｍ１と結合されている。また第２の筐体構成部材Ｎ１には、ストラップＳを取り付けるための通し穴ＨJが形成されている。
【０００５】
第１の従来の携帯端末Ｊ１では、第２の筐体構成部材Ｎ１を第１の筐体構成部材Ｍ１と結合させるための取り付け用ネジＢのネジ穴と通し穴ＨJとが第２の筐体構成部材Ｎ１上の異なる位置に形成されている。
【０００６】
このように第１の従来の携帯端末Ｊ１の構成では、取り付け用ネジＢのネジ穴と通し穴ＨJを第２の筐体構成部材Ｎ１のそれぞれ異なる位置に設けなければならず、製造工程における工数や、筐体の強度の観点から好ましいとは言えない。また、ネジ止め（締結）している状態のネジの頭が見え易く、外観も良いとは言い難い。
【０００７】
図４は、第２の従来の携帯端末について説明するための全体構成図である。同図において、（ａ）は携帯端末を側面から見た図、（ｂ）は同携帯端末を（ａ）に示すＡ方向から見た図である。
【０００８】
同図に示す構成の第２の従来の携帯端末Ｊ２は、第１の筐体構成部材Ｍ２と第２の筐体構成部材Ｎ２とを有している。本構成でも同様に、第２の筐体構成部材Ｎ２は取り付け用ネジによって第１の筐体構成部材Ｍ２と結合されている。また第２の筐体構成部材Ｎ２には、ストラップＳを取り付けるための通し穴ＨJが形成されている。
【０００９】
第２の従来の携帯端末Ｊ２では、第２の筐体構成部材Ｎ２を第１の筐体構成部材Ｍ２と結合させるための取り付け用ネジのネジ穴と通し穴ＨJとが第２の筐体構成部材Ｎ２上の異なる位置に形成されているのに加え、取り付け用ネジが外部から見えないように隠されている。
【００１０】
このように取り付け用ネジが外部から見えないようにするためには、取り付け用ネジを隠すための別部品が必要となる上、取り付け用ネジが隠しやすい位置に位置するように、ネジ穴を配置する必要がある。このようなネジ穴の配置の制限は、設計の自由度を大きく妨げる場合がある。
【００１１】
本発明は上述した問題点を解決するためになされたものであり、設計の自由度を大きく妨げることなく、かつ特別な部品の追加を必要とせずに、簡単な構成によって外観の向上に寄与することのできる携帯端末を提供することを目的とする。
【課題を解決するための手段】
【００１２】
上述した課題を解決するため、本発明に係る携帯端末は、ストラップを取り付けるための通し穴が形成された筐体を有する携帯端末において、前記通し穴の壁面にネジ穴が設けられ、該ネジ穴に対して締結されたネジの頭が前記通し穴内に位置していることを特徴とするものである。
【００１３】
このような構成とすることにより、設計の自由度を大きく妨げることなく、かつ特別な部品の追加を必要とせずに、簡単な構成によって外観の向上に寄与することのできる携帯端末を提供することができる。
【発明の効果】
【００１４】
以上に詳述したように本発明によれば、設計の自由度を大きく妨げることなく、かつ特別な部品の追加を必要とせずに、簡単な構成によって外観の向上に寄与することのできる携帯端末を提供することができる。
【発明を実施するための最良の形態】
【００１５】
以下、本発明の実施の形態について図面を参照しつつ説明する。
【００１６】
図１は、本発明の実施の形態による携帯端末の全体構成図である。図２は、本実施の形態による携帯端末の通し穴について説明するための図である。図１において、（ａ）は携帯端末を側面から見た図、（ｂ）は同携帯端末を（ａ）に示すＡ方向から見た図である。
【００１７】
本実施の形態による携帯端末は、第１の筐体構成部材Ｍと第２の筐体構成部材Ｎとを有している。
【００１８】
同図から分かるように、第２の筐体構成部材Ｎは取り付け用ネジＢによって第１の筐体構成部材Ｍと結合されている。また第２の筐体構成部材Ｎには、ストラップＳを取り付けるための通し穴Ｈが形成されている。
【００１９】
ここでは、第２の筐体構成部材Ｎを第１の筐体構成部材Ｍと結合させるための取り付け用ネジのネジ穴と通し穴Ｈとが第２の筐体構成部材Ｎ上の同じ位置に形成されている。
【００２０】
具体的には、ストラップＳを取り付けるための通し穴Ｈは、図２に示すように第１の筐体構成部材Ｍ側の壁面（内面）を構成する壁面Ｐ１および壁面Ｐ１と直交する壁面Ｐ２を有している。そして、図示のように、取り付け用ネジＢのためのネジ穴が壁面（内面）Ｐ１に形成されている。
【００２１】
この構成によって、取り付け用ネジＢのネジ穴が通し穴の壁面に形成されているため、ネジ穴に対して締結された（締め付けられた）取り付け用ネジＢの頭が通し穴内に位置する状態となる（図２参照）。これにより、通し穴ＨにストラップＳを取り付けたときに、当該ネジ穴がストラップＳによって覆われて見え難くなる。
【００２２】
すなわち、特別な部品の追加などを行わずとも、ネジ穴部分を隠すことができ、外観の向上に寄与することができる。
【００２３】
また、本構成によれば、もともとネジ穴を配置すべき場所に、合わせて通し穴を形成すればよいため、ネジ穴の配置等によって設計の自由度を大きく妨げるような問題もない。
【００２４】
このように、取り付け用ネジのネジ穴を通し穴の第１の筐体構成部材Ｍ側の壁面を構成する壁面Ｐ１に形成することで、取り付け用ネジＢの取り付け作業時にＤ方向にドライバ等を差し込むことで作業が容易にできる。
【００２５】
また、第２の筐体構成部材Ｎのこの位置にネジ穴を形成することにより、第１の筐体構成部材Ｍ側に当該ネジ穴に対応するネジ部分を形成し易く、第２の筐体構成部材Ｎと第１の筐体構成部材Ｍとを簡易な構成で結合させることができる。
【００２６】
なお、本実施の形態では通し穴の壁面が直交する二壁面Ｐ１およびＰ２を有する構成としているが、これに限られるものではなく、通し穴の入り口から出口までの壁面Ｐ１およびＰ２側の壁面を曲面状に形成してもよい。ただし、この場合には、取り付けネジのネジ頭が、通し穴内におけるストラップの通過を妨げないように、当該曲面上にザグリ等を形成することが好ましい。
【００２７】
以上のように、本実施の形態による携帯端末は、ストラップを取り付けるための通し穴が形成された筐体を有する携帯端末において、前記通し穴の壁面にネジ穴が設けられ、該ネジ穴に対して締結されたネジの頭が前記通し穴内に位置している構成となっている。
【図面の簡単な説明】
【００２８】
【図１】本発明の実施の形態による携帯端末の全体構成図である。
【図２】本実施の形態による携帯端末の通し穴について説明するための図である。
【図３】第１の従来の携帯端末について説明するための全体構成図である。
【図４】第２の従来の携帯端末について説明するための全体構成図である。
【符号の説明】
【００２９】
Ｋ，Ｊ１，Ｊ２  携帯端末、Ｈ，ＨＪ  通し穴、Ｓ  ストラップ、Ｂ  取り付けネジ、Ｍ，Ｍ１，Ｍ２  第１の筐体構成部材、Ｎ，Ｎ１，Ｎ２  第２の筐体構成部材。
【図１】
2005217465.tif 000003
【図２】
2005217465.tif 000004
【図３】
2005217465.tif 000005
【図４】
2005217465.tif 000006